(57)【要約】  本発明の冷蔵庫は、冷蔵庫本体と、冷蔵庫本体に形成され、前面に開口部を有する貯蔵室と、貯蔵室の前面の開口部を開閉自在に閉塞する扉と、扉の内面側又は内部に設置された複数の電気品と、扉に設置され、複数の電気品の各々と個別の配線を介して接続され、個別の配線を共通の配線に変換する副制御部と、冷蔵庫本体に設けられ、副制御部と共通の配線を介して接続され、複数の電気品を制御する主制御部と、を備えたものである。
2017168572.tif 000002
【特許請求の範囲】
【請求項１】
冷蔵庫本体と、
前記冷蔵庫本体に形成され、前面に開口部を有する貯蔵室と、
前記貯蔵室の前面の前記開口部を開閉自在に閉塞する扉と、
前記扉の内面側又は内部に設置された複数の電気品と、
前記扉に設置され、前記複数の電気品の各々と個別の配線を介して接続され、前記個別の配線を共通の配線に変換する副制御部と、
前記冷蔵庫本体に設けられ、前記副制御部と前記共通の配線を介して接続され、前記複数の電気品を制御する主制御部と、を備えた
冷蔵庫。
【請求項２】
冷蔵庫本体と、
前記冷蔵庫本体に形成され、前面に開口部を有する貯蔵室と、
前記貯蔵室の前面の前記開口部を開閉自在に閉塞する扉と、
前記扉又は前記冷蔵庫本体に設置された複数の電気品と、
前記冷蔵庫本体に設置され、前記複数の電気品の各々と個別の配線を介して接続され、前記個別の配線を共通の配線に変換する副制御部と、
前記冷蔵庫本体に設けられ、前記副制御部と前記共通の配線を介して接続され、前記複数の電気品を制御する主制御部と、を備えた
冷蔵庫。
【請求項３】
前記副制御部は、
各々の前記個別の配線のうち、同一機能を有する複数の導線を前記共通の配線に集約する
請求項１又は２に記載の冷蔵庫。
【請求項４】
前記複数の電気品と、前記副制御部とは、
同一の箱体に収納されている
請求項１〜３の何れか１項に記載の冷蔵庫。
【請求項５】
前記共通の配線は、
ノイズ低減用のシールド線で覆われ、１本の配線にまとめられている
請求項１〜４の何れか１項に記載の冷蔵庫。
【請求項６】
前記副制御部は、
外部との通信機能を有する
請求項１〜５の何れか１項に記載の冷蔵庫。
【請求項７】
前記複数の電気品が同一種類の機器であって、かつ、前記個別の配線に異なった機能を有する複数種類の導線が含まれる場合において、
前記副制御部は、
複数の前記個別の配線のうち、同一機能の導線を共通の導線に変換する
請求項１〜６の何れか１項に記載の冷蔵庫。
【請求項８】
前記電気品は、
撮像ユニットである
請求項１〜７の何れか１項に記載の冷蔵庫。
【発明の詳細な説明】
【技術分野】
【０００１】
本発明は、扉のヒンジを介して配線材を配設する冷蔵庫に関するものである。
【背景技術】
【０００２】
従来から、扉のヒンジに設けられた穴を介して配線材を配設し、冷蔵庫の扉に設置している電気品と、冷蔵庫本体側の主制御部とを当該配線材で接続している冷蔵庫が提案されている（例えば特許文献１参照）。
【先行技術文献】
【特許文献】
【０００３】
【特許文献１】特開２００２−３４０４７２号公報
【発明の概要】
【発明が解決しようとする課題】
【０００４】
特許文献１に記載の冷蔵庫おいては、貯蔵室の扉に撮像ユニット等の複数の電気品を設置する際に、電気品の数だけ配線材の本数が増えてしまう。このため、冷蔵庫本体に設けられている主制御部に配線材を接続させようとする際に、ヒンジの穴に通そうとする配線材の束の太さが、ヒンジの穴より大きくなることがある。すると、ヒンジの穴を拡張する等の改造をする必要があり、電気品を増やす度に、ヒンジの穴を改造するためのコストが掛かってしまうという問題点があった。【０００５】
本発明は、上記のような問題点を背景になされたものであり、貯蔵室の扉、又は冷蔵庫の本体に複数の電気品が設置された場合であっても、主制御部へ接続される配線材の本数を減らすことができる冷蔵庫を得ることを目的とする。
【課題を解決するための手段】
【０００６】
本発明に係る冷蔵庫は、冷蔵庫本体と、前記冷蔵庫本体に形成され、前面に開口部を有する貯蔵室と、前記貯蔵室の前面の前記開口部を開閉自在に閉塞する扉と、前記扉の内面側又は内部に設置された複数の電気品と、前記扉に設置され、前記複数の電気品の各々と個別の配線を介して接続され、前記個別の配線を共通の配線に変換する副制御部と、前記冷蔵庫本体に設けられ、前記副制御部と前記共通の配線を介して接続され、前記複数の電気品を制御する主制御部と、を備えたものである。
【発明の効果】
【０００７】
本発明に係る冷蔵庫によれば、複数の電気品に接続された各々の配線を副制御部が集約することで、副制御部から主制御部に接続される配線の本数を減らすことができる冷蔵庫を得ることができる。
【図面の簡単な説明】
【０００８】
【図１】本発明の実施の形態に係る冷蔵庫の概略正面図である。
【図２】本発明の実施の形態に係る冷蔵庫の冷蔵室左扉の概略図である。
【図３】本発明の実施の形態に係る冷蔵庫の取り付け構造体の概略斜視図である。
【図４】本発明の実施の形態に係る冷蔵庫の取り付け構造体の概略分解図である。
【図５】本発明の実施の形態に係る冷蔵庫の取り付け構造体から撮像ユニットと副制御部とを分解した概略分解図である。
【図６】本発明の実施の形態に係る冷蔵庫の撮像ユニットと副制御部とを配線で繋ぐ状態を表した概略図である。
【図７】本発明の実施の形態に係る冷蔵庫の配線のまとめ方を表した状態図である。
【図８】本発明の実施の形態に係る冷蔵庫の副制御部から主制御部へ配線を配設する様子を示す状態図である。
【図９】本発明の実施の形態に係る冷蔵庫の副制御部から主制御部へ配線を配設する様子を示す冷蔵庫の概略縦断面図である。
【発明を実施するための形態】
【０００９】
以下、本発明の冷蔵庫の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１０】
実施の形態．
［冷蔵庫１００の構成］
図１は、本発明の実施の形態に係る冷蔵庫の概略正面図である。また、図２は、本発明の実施の形態に係る冷蔵庫の冷蔵室左扉の概略図である。図１に示されるように、冷蔵庫本体１は、最上部に前面が開口した冷蔵室２を有し、冷蔵室２の前面側には開口部を開閉自在に閉塞する観音開き式の冷蔵室左扉３及び冷蔵室右扉４を備えている。冷蔵室左扉３は、ヒンジ１４を介して冷蔵庫本体に開閉自在に取り付けられている。また、冷蔵室２の左側の下方には製氷室８が設けられ、冷蔵室２の右側の下方には切替室５が設けられている。製氷室８及び切替室５の下方には冷凍室６が設けられ、冷凍室６の下方には野菜室７が設けられている。製氷室８、切替室５、冷凍室６及び野菜室７の扉はいずれも引き出し式の扉で構成されている。なお、冷蔵室２は本発明における「貯蔵室」に相当する。また、冷蔵室左扉３は本発明における「扉」に相当する。
【００１１】
なお、本実施の形態において、冷蔵室左扉３及び冷蔵室右扉４が観音開き式の扉である例を示したが、本発明はこれに限定されず、引き戸式の扉で構成しても良い。また、本実施の形態において、製氷室８、切替室５、冷凍室６及び野菜室７の扉を引き出し式の扉を例として示したが、本発明はこれに限定されず、引き出し式の扉以外の扉で構成してもよい。
【００１２】
また、本実施の形態において、冷蔵庫１００として、冷蔵室２、製氷室８、切替室５、冷凍室６及び野菜室７を備えた例を示したが、冷蔵庫１００の構成はこれに限定されず、例えば製氷室８又は切替室５を備えていない冷蔵庫１００でもよい。また、本実施の形態において各貯蔵室が全て冷凍室の場合にも冷蔵庫と称する。
【００１３】
図１及び図２に示されるように、冷蔵室左扉３は、食品等を収納するドアポケット１３と、冷蔵室左扉３と冷蔵室右扉４との境目に露が付くことを防止する冷蔵室露付き防止ヒータ１２とを備えている。また、冷蔵室左扉３の内面側又は内部には、冷蔵室２の内部を撮影するための撮像ユニット１０と、撮像ユニット１０を取り付けるための取り付け構造体１１と、取り付け構造体１１を固定するための取り付け構造体固定部９とが設けられている。さらに、冷蔵室左扉３の上部には穴の空いた中空状のヒンジ１４が設けられている。
【００１４】
電気品である撮像ユニット１０は、取り付け構造体１１に２台設けられ、冷蔵室２の内部を撮影するものである。この２台の撮像ユニット１０は、後述する主制御部２０と通信を行うことにより、撮影のタイミングを調整したり、冷蔵室２の内部の情報を主制御部を介して外部のユーザー等に送信している。また、取り付け構造体１１は、冷蔵室露付き防止ヒータ１２とドアポケット１３との間に設けられている。なお、撮像ユニット１０は本発明における「電気品」に相当する。また、取り付け構造体１１は、本発明における「箱体」に相当する。なお、本実施の形態において撮像ユニット１０が、冷蔵室左扉３の内面側又は内部に取り付けられた例を示したが、本発明はこれに限定されず、冷蔵庫本体１に備えられている他の扉、又は、冷蔵庫本体１に取り付けてもよい。
【００１５】
なお、本実施の形態において撮像ユニット１０を取り付け構造体１１に２台設けた例を示したが、本発明はこれに限定されず、冷蔵庫１００の大きさ等に応じて３台以上の撮像ユニット１０を設けても良い。また、本実施の形態において、取り付け構造体１１は、冷蔵室露付き防止ヒータ１２とドアポケット１３との間に設けられている例を示した。しかし、本発明はこれに限定されず、撮像ユニット１０が冷蔵室２の内部を十分に撮影できるように適宜、取り付け構造体１１の設置場所を変更してもよい。また、本実施の形態において、冷蔵室左扉３に撮像ユニット１０を設けた例を示したが、本発明はこれに限定されず、冷蔵室右扉４に設けてもよいし、冷蔵庫本体１の内壁面等に設けてもよい。
【００１６】
図３は、本発明の実施の形態に係る冷蔵庫の取り付け構造体の概略斜視図である。また、図４は、本発明の実施の形態に係る冷蔵庫の取り付け構造体の概略分解図である。図３、図４（ａ）及び図４（ｂ）に示されるように、取り付け構造体１１は、取り付け構造体固定部９から取り外しが可能である。そして、取り付け構造体１１の裏面には、カバー１６が取り付けられており、カバー１６を取り外すと、取り付け構造体１１の内部に設けられている撮像ユニット１０と副制御部１５とを露出させることができる。
【００１７】
図５は、本発明の実施の形態に係る冷蔵庫の取り付け構造体から撮像ユニットと副制御部とを分解した概略分解図である。図５に示されるように、撮像ユニット１０と副制御部１５とは、取り付け構造体１１の内部に収納されている。副制御部１５は、例えばハブなどの集線装置とマイコンとにより構成され、撮像ユニット１０と後述する主制御部２０との中継器としての役割を果たす。撮像ユニット１０と副制御部１５はそれぞれ、取り付け構造体１１に着脱自在に設けられている。このようにすることで、組み立て時又は部品の交換の際に簡易的に着脱することが可能となり、作業を効率化することができる。また、電気品等の撮像ユニット１０又は副制御部１５に故障等が発生した場合においても、故障等が発生した撮像ユニット１０又は副制御部１５のみを交換することで、正常な状態に戻すことができる。なお、本実施の形態において副制御部１５が、取り付け構造体１１の内部に収納されている例、つまり冷蔵室左扉３に設置されている例を示したが本発明はこれに限定されず、冷蔵庫本体１に設けてもよい。
【００１８】
図６は、本発明の実施の形態に係る冷蔵庫の撮像ユニットと副制御部とを配線で繋ぐ状態を表した概略図である。図６（ａ）及び図６（ｂ）に示されるように、２台の撮像ユニット１０と、１台の副制御部１５とは、個別の配線１８ａと配線１８ｂとで接続されている。そして、副制御部１５は、２本の配線１８ａと配線１８ｂとを一本の共通配線１７に集約し、共通配線１７を介して後述する主制御部２０に接続されている。このように２本の配線１８ａと配線１８ｂとを一本の共通配線１７に集約することで、余計な配線を冷蔵室左扉３の断熱材の中に這わせる必要がなくなり、冷蔵室２の断熱性能の低下を防ぐことができる。なお、配線１８ａ、配線１８ｂ及び共通配線１７は例えばＵＳＢケーブルにより構成されている。
【００１９】
図７は、本発明の実施の形態に係る冷蔵庫の配線のまとめ方を表した状態図である。図７（ａ）及び図７（ｂ）に示されるように、共通配線１７と、配線１８ａ及び配線１８ｂとは副制御部１５を介して接続されている。共通配線１７、配線１８ａ及び配線１８ｂには、電源用の導線、ＧＮＤ用の導線、受信用の導線、送信用の導線が設けられている。しかし、それぞれの導線の形態は同じであるため、本実施の形態では、代表して送信用の導線について説明し、その他の導線については説明を省略する。
【００２０】
図７（ａ）に示されるように、機能的に同一種類の機器である複数の撮像ユニット１０と配線１８ａ、１８ｂとは、電源用の導線、ＧＮＤ用の導線、受信用の導線、送信用導線３０ａ、３０ｂで接続されている。例えば撮像ユニット１０は、電源用の導線から電力を供給され、冷蔵室２の内部を撮影し、送信用導線３０ａ、３０ｂを介して、副制御部１５にデータを送信する。また、例えば、撮像ユニット１０は、受信用の導線から冷蔵室２内を撮影するタイミングのデータを受け取り、当該タイミングに合わせて冷蔵室２内を撮影する。
【００２１】
図７（ｂ）に示されるように、配線１８ａの送信用導線３０ａと、配線１８ｂの送信用導線３０ｂとは、副制御部１５に接続されている。そして、副制御部１５の基板に設けられた合流部３０ｃにおいて、機能的に同一種類の導線である送信用導線３０ａと送信用導線３０ｂとが合流する。合流部３０ｃにおいて合流した送信用導線３０ａと送信用導線３０ｂとは、機能的に同一種類の導線であるため１本の送信用導線３０に共通に変換され共通配線１７の一部を構成することとなる。各々集約された電源用の導線、ＧＮＤ用の導線、受信用の導線、及び送信用導線３０は、ノイズ低減用のシールド線で覆われ、１本の配線にまとめられ、後述する主制御部２０側へ延伸して配設される。
【００２２】
図８は、本発明の実施の形態に係る冷蔵庫の副制御部から主制御部へ配線を配設する様子を示す状態図である。また、図９は、本発明の実施の形態に係る冷蔵庫の副制御部から主制御部へ配線を配設する様子を示す冷蔵庫の概略縦断面図である。図８及び図９に示されるように、取り付け構造体１１の内部において１本に集約され共通化された共通配線１７は、取り付け構造体１１から出て、冷蔵室左扉３の内部を通って、ヒンジ１４の穴を通り、冷蔵庫本体１の背面側に設けられた主制御部２０に接続される。
【００２３】
主制御部２０は、例えばマイコンにより構成され、集約された共通配線１７を介して副制御部１５に接続され、撮像ユニット１０などの複数の装置を制御するものである。主制御部２０は、複数の撮像ユニット１０に冷蔵室２の内部を撮影するタイミングをそれぞれ割り当て、冷蔵室２内の様子を撮影させる。そして、主制御部２０は、副制御部１５を介して撮像ユニット１０によって撮影された冷蔵室２内の様子のデータを取得し、外部のユーザーが保有する携帯端末等にデータを送信する。これにより、外部のユーザーが遠隔地から冷蔵室２の内部の様子を知ることができ冷蔵庫１００の利便性が向上する。なお、本実施の形態において、主制御部２０が外部との通信機能を有する例を示したが、本発明はこれに限定されず、副制御部１５に外部との通信機能を備えさせてもよい。
【００２４】
［実施の形態の効果］
以上のことから、本実施の形態によれば、冷蔵庫本体１と、冷蔵庫本体１に形成され、前面に開口部を有する冷蔵室２と、冷蔵室２の前面の開口部を開閉自在に閉塞する冷蔵室左扉３と、冷蔵室左扉３の内面側又は内部に設置された複数の撮像ユニット１０と、冷蔵室左扉３に設置され、複数の撮像ユニット１０の各々と個別の配線１８ａ、１８ｂを介して接続され、個別の配線を共通の配線に変換する副制御部１５と、冷蔵庫本体１に設けられ、副制御部１５と共通の共通配線１７を介して接続され、複数の撮像ユニット１０を制御する主制御部２０と、を備えた冷蔵庫１００とする。
このようにすることで、複数の撮像ユニット１０に接続された各々の配線１８ａ、１８ｂを副制御部１５が集約して共通にすることで、副制御部１５から主制御部２０に接続される共通配線１７の本数を減らすことができる冷蔵庫１００を得ることができる。
【００２５】
また、複数の撮像ユニット１０と、副制御部１５とは、同一の取り付け構造体１１に収納されている。
このようにすることで、冷蔵室左扉３に設置した撮像ユニット１０と副制御部１５とを冷蔵室左扉３から簡単に取り外すことができる。また、撮像ユニット１０と副制御部１５を同一の取り付け構造体１１に収納することで、冷蔵室左扉３の内面側の構成を簡素化することができ意匠性が向上する。
【００２６】
また、集約されて共通化された共通配線１７は、ノイズ低減用のシールド線で覆われ、１本の配線にまとめられている構成とする。
このようにすることで、共通配線１７にノイズが混入することなく副制御部１５及び撮像ユニット１０と、主制御部２０との間で確実なデータの送受信を行うことができる。
【００２７】
また、副制御部１５は、外部との通信機能を有する構成とする。
このようにすることで、主制御部２０の構成を簡素化し、主制御部２０の製造コストを削減することができる。また、副制御部１５が外部との通信機能を有することで、主制御部２０とのデータの送受信を行う必要がなくなるため、共通配線１７をより細くすることができる。
【符号の説明】
【００２８】
１  冷蔵庫本体、２  冷蔵室、３  冷蔵室左扉、４  冷蔵室右扉、５  切替室、６  冷凍室、７  野菜室、８  製氷室、９  取り付け構造体固定部、１０  撮像ユニット、１１  取り付け構造体、１２  冷蔵室露付き防止ヒータ、１３  ドアポケット、１４  ヒンジ、１５  副制御部、１６  カバー、１７  共通配線、１８ａ  配線、１８ｂ  配線、２０  主制御部、３０  送信用導線、３０ａ  送信用導線、３０ｂ  送信用導線、３０ｃ  合流部、１００  冷蔵庫。
【図１】
2017168572.tif 000003
【図２】
2017168572.tif 000004
【図３】
2017168572.tif 000005
【図４】
2017168572.tif 000006
【図５】
2017168572.tif 000007
【図６】
2017168572.tif 000008
【図７】
2017168572.tif 000009
【図８】
2017168572.tif 000010
【図９】
2017168572.tif 000011
【手続補正書】
【提出日】平成30年6月5日(2018.6.5)
【手続補正１】
【補正対象書類名】明細書
【補正対象項目名】０００６
【補正方法】変更
【補正の内容】
【０００６】
本発明に係る冷蔵庫は、冷蔵庫本体と、前記冷蔵庫本体に形成され、前面に開口部を有する貯蔵室と、前記貯蔵室の前面の前記開口部を開閉自在に閉塞する扉と、前記貯蔵室の内部を撮影する複数の撮像ユニットと、前記複数の撮像ユニットの各々と個別の配線を介して接続され、前記個別の配線を共通の配線に変換する副制御部と、前記冷蔵庫本体に設けられ、前記副制御部と前記共通の配線を介して接続され、前記複数の撮像ユニットを制御する主制御部と、を備え、前記複数の撮像ユニットと、前記副制御部とは、前記扉又は前記冷蔵庫本体に設置された同一の取り付け構造体に収納されているものである。
【手続補正２】
【補正対象書類名】特許請求の範囲
【補正対象項目名】全文
【補正方法】変更
【補正の内容】
【特許請求の範囲】
【請求項１】
冷蔵庫本体と、
前記冷蔵庫本体に形成され、前面に開口部を有する貯蔵室と、
前記貯蔵室の前面の前記開口部を開閉自在に閉塞する扉と、
前記貯蔵室の内部を撮影する複数の撮像ユニットと、
前記複数の撮像ユニットの各々と個別の配線を介して接続され、前記個別の配線を共通の配線に変換する副制御部と、
前記冷蔵庫本体に設けられ、前記副制御部と前記共通の配線を介して接続され、前記複数の撮像ユニットを制御する主制御部と、を備え、
前記複数の撮像ユニットと、前記副制御部とは、前記扉又は前記冷蔵庫本体に設置された同一の取り付け構造体に収納されている
冷蔵庫。
【請求項２】
前記同一の取り付け構造体は、扉の内面側又は内部に設置されている
請求項１に記載の冷蔵庫。
【請求項３】
前記副制御部は、
各々の前記個別の配線のうち、同一機能を有する複数の導線を前記共通の配線に集約する
請求項１又は２に記載の冷蔵庫。
【請求項４】
前記共通の配線は、
ノイズ低減用のシールド線で覆われ、１本の配線にまとめられている
請求項１〜３の何れか１項に記載の冷蔵庫。
【請求項５】
前記副制御部は、
外部との通信機能を有する
請求項１〜４の何れか１項に記載の冷蔵庫。
【請求項６】
前記複数の撮像ユニットが同一種類の機器であって、かつ、前記個別の配線に異なった機能を有する複数種類の導線が含まれる場合において、
前記副制御部は、
複数の前記個別の配線のうち、同一機能の導線を共通の導線に変換する
請求項１〜５の何れか１項に記載の冷蔵庫。
【請求項７】
前記扉は、ヒンジを介して前記冷蔵庫本体に取り付けられており、
前記取り付け構造体は、前記扉に設置されており、
前記共通の配線は、前記取り付け構造体から出て前記ヒンジの穴を通り、前記主制御部に接続される
請求項１〜６の何れか１項に記載の冷蔵庫。
【国際調査報告】
2017168572.tif 000012
2017168572.tif 000013
2017168572.tif 000014
2017168572.tif 000015